(57)【要約】      （修正有）【課題】引き違いサッシや片引きサッシに簡単に設置することができ、メンテナンスも容易で、塵埃や花粉だけでなく臭気も除去しうる、換気効率の良い窓サッシ用空気清浄装置を提供する。【解決手段】表裏に相対配置した２枚の多孔板の間に活性炭を充填し、その周部をユニット枠で包囲して形成したフィルタユニット２を、装置取付枠３の内側に着脱自在に嵌め込んで窓サッシ用空気清浄装置１を構成する。この窓サッシ用空気清浄装置１を、網戸や障子の移動を案内するためのレールに係合させた状態で窓枠内に建て込む。【選択図】図２
0003149753.tif 000002
【実用新案登録請求の範囲】
【請求項１】
窓開口を通じて屋内に流入する外気を、空気清浄機能を有するフィルタユニットを介して清浄化する窓サッシ用空気清浄装置において、該フィルタユニットが活性炭を含有することを特徴とする窓サッシ用空気清浄装置。
【請求項２】
障子が窓面と平行に移動して開閉する方式の窓サッシにおける窓枠内に、障子又は網戸の移動を案内するためのレールに係合する状態で建て込まれる装置取付枠と、該装置取付枠の内側に着脱自在に嵌め込まれるフィルタユニットとを具備し、該フィルタユニットは活性炭を含有することを特徴とする窓サッシ用空気清浄装置。
【請求項３】
請求項１又は２に記載の窓サッシ用空気清浄装置において、
フィルタユニットは、金属製又は樹脂製の薄板に多数の貫通孔を形成してなる２枚の多孔板を表裏相対させて配置し、それらの間に粒状の活性炭を充填して、周部をユニット枠で包囲することにより形成されたことを特徴とする窓サッシ用空気清浄装置。
【請求項４】
請求項２又は３に記載の窓サッシ用空気清浄装置において、
フィルタユニットは、その枠外方向に付勢状態で突出する係止爪片を具備し、この係止爪片を装置取付枠の内縁部に係合させることによって装置取付枠に取り付けられ、前記係止爪片の没入操作によって装置取付枠から離脱するように構成されたことを特徴とする窓サッシ用空気清浄装置。
【請求項５】
請求項１〜４のいずれか一項に記載の窓サッシ用空気清浄装置において、
フィルタユニットの屋外側に目隠しガラリが取り付けられていることを特徴とする窓サッシ用空気清浄装置。
【請求項６】
請求項２〜５のいずれか一項に記載の窓サッシ用空気清浄装置において、
装置取付枠は、網戸と略同一面をなすようにして、該網戸の戸先側に取り付けられたことを特徴とする窓サッシ用空気清浄装置。
【請求項７】
請求項２〜５のいずれか一項に記載の窓サッシ用空気清浄装置において、
装置取付枠は、網戸と略同一面をなすようにして、窓枠側に取り付けられたことを特徴とする窓サッシ用空気清浄装置。
【請求項８】
請求項２〜５のいずれか一項に記載の窓サッシ用空気清浄装置において、
装置取付枠は、網戸を案内するレール上に、独立して移動しうるように取り付けられたことを特徴とする窓サッシ用空気清浄装置。
【請求項９】
請求項２〜５のいずれか一項に記載の窓サッシ用空気清浄装置において、
装置取付枠は、移動可能な障子のいずれかと略同一面をなすようにして、該障子の戸先側に取り付けられたことを特徴とする窓サッシ用空気清浄装置。
【請求項１０】
請求項２〜５のいずれか一項に記載の窓サッシ用空気清浄装置において、
装置取付枠は、移動可能な障子のいずれかと略同一面をなすようにして、窓枠側に取り付けられたことを特徴とする窓サッシ用空気清浄装置。
【考案の詳細な説明】
【技術分野】
【０００１】
本考案は、引き違い窓や片引き窓など、障子が窓面と平行に移動して開閉する方式の窓サッシに取り付けられて、窓開口から屋内に流入する空気を清浄化する窓サッシ用空気清浄装置に関する。
【背景技術】
【０００２】
屋内の空気を外気と交換するには、窓を開放するのが最も手軽である。しかし、単に窓を開放するだけでは、外気中の塵埃や花粉、昆虫等が窓開口から屋内に侵入し、また、屋内側のプライバシーや防犯性も損なわれる。そこで、例えば特許文献１、２には、いわゆる換気小窓付きサッシの小窓部分に空気清浄フィルタを取り付け、この換気小窓だけを開放して塵埃や花粉の侵入を防ぐ技術が開示されている。
【０００３】
また、特許文献３には、換気小窓を通じての換気よりも高効率の換気手段として、引き違いサッシの窓枠内に、障子と擦れ違うように換気用枠体を建て込み、その換気用枠体に空気清浄フィルタを嵌め込んで外気を清浄化する技術が開示されている。
【先行技術文献】
【特許文献】
【０００４】
【特許文献１】特開２００５−９８０８５号公報
【特許文献２】登録実用新案第３１４５３２５号公報
【特許文献３】登録実用新案第３０２５０８５号公報
【考案の概要】
【考案が解決しようとする課題】
【０００５】
一般的な引き違いサッシに設けられる換気小窓は、開口面積が小さいため、高い換気効率を期待することができない。また、空気清浄フィルタを内蔵した換気ユニット等を換気小窓に取り付けるに際しては、細かい取付作業も必要になる。
【０００６】
他方、引き違いサッシの窓枠内に換気用枠体を取り付ける構造であれば、換気小窓よりも開口面積を大きく確保して換気効率を高めることができる。また、換気用枠体の取付構造を工夫すれば、既設の窓サッシにも後付けできるという利点がある。
【０００７】
これらの事情を考慮すると、一般的な引き違い方式や片引き方式の窓サッシに簡単に設置することができて、既設の窓サッシへの取付も可能であり、有効開口面積が大きくて高効率の換気を実現できる、窓サッシ用の空気清浄装置が望まれるところである。かかる空気清浄装置にあっては、特に、窓サッシへの着脱、清掃、フィルタの交換等が、できるだけ容易であるべきである。
【０００８】
また、上記従来の換気手段によれば、空気清浄フィルタを通じて外気中の塵埃や花粉は概ね除去しうるものの、臭気は十分に除去することができない。例えば、交通量の多い幹線道路沿いでの排気ガスの臭いや、化学工場等に近接する地域に特有のガスや薬品の臭い、あるいは飲食店の近隣における厨房排気の臭い、淀んだ堀川沿いの泥臭い臭いなど、不快感をもたらす臭気の種類は多い。しかしながら、このような臭気への対策を講じた窓用換気設備に関して、これまで特に有用なものは知られていない。
【０００９】
本考案は、かかる事情に鑑みてなされたもので、一般的な引き違い方式や片引き方式の窓サッシに簡単に設置することができ、メンテナンスも容易で、さらに塵埃や花粉だけでなく臭気も除去しうる、換気効率の良い窓サッシ用空気清浄装置を提供することを解決課題とする。
【課題を解決するための手段】
【００１０】
前記の課題を解決するため、本考案の窓サッシ用空気清浄装置は、窓開口を通じて屋内に流入する外気を、空気清浄機能を有するフィルタユニットを介して清浄化する窓サッシ用空気清浄装置において、該フィルタユニットが活性炭を含有することを特徴とする。
【００１１】
また、本考案の窓サッシ用空気清浄装置は、障子が窓面と平行に移動して開閉する方式の窓サッシにおける窓枠内に、障子又は網戸の移動を案内するためのレールに係合する状態で建て込まれる装置取付枠と、該装置取付枠の内側に着脱自在に嵌め込まれるフィルタユニットとを具備し、該フィルタユニットが活性炭を含有することを特徴とする。
【００１２】
これらの構成によれば、活性炭の吸着作用を利用して外気から不快な臭気を除去することができる。さらに、フィルタユニットを保持する装置取付枠を、障子や網戸のレールに建て込むようにすれば、窓枠内への設置も容易になる。
【００１３】
活性炭を含有するフィルタユニットの構成については、金属製又は樹脂製の薄板に多数の貫通孔を形成してなる２枚の多孔板を表裏相対させて配置し、それらの間に粒状の活性炭を充填して、周部をユニット枠で包囲することにより形成されたものとするのが好ましい。
【００１４】
また、フィルタユニットは、その枠外方向に付勢状態で突出する係止爪片を具備し、この係止爪片を装置取付枠の内縁部に係合させることによって装置取付枠に取り付けられ、前記係止爪片の没入操作によって装置取付枠から離脱するように構成されるのが好ましい。フィルタユニットの屋外側には目隠しガラリが取り付けられていてもよい。このように、フィルタをユニット化することによってメンテナンスが簡単になる。
【００１５】
本考案にかかる窓サッシ用空気清浄装置の設置態様については、装置取付枠を、網戸と略同一面をなすようにして、該網戸の戸先側に取り付けるか、あるいは窓枠側に取り付けるか、あるいは独立して移動しうるように取り付ける態様を選択することができる。また、移動可能な障子のいずれかと略同一面をなすようにして、該障子の戸先側に取り付けるか、あるいは窓枠側に取り付ける態様を選択することもできる。
【考案の効果】
【００１６】
上述のように構成される本考案の窓サッシ用空気清浄装置は、窓枠内に取り付けられる装置取付枠に活性炭を含有するフィルタユニットが嵌め込まれるので、屋内に取り込む外気から、塵埃や花粉だけでなく不快な臭気も効率的に除去することができる。
【００１７】
障子や網戸を案内するレールに装置取付枠を建て込み、装置取付枠の内側に予め一体的にユニット化されたフィルタユニットを嵌め込むように構成すれば、フィルタユニットの着脱やメンテナンスが容易になる。また、窓サッシのレールを利用して装置取付枠を建て込む構造を採用すれば、窓サッシの形状に応じて、網戸と同一面に取り付けたり、あるいは障子と同一面に取り付けたりして移動可能とするなど様々な展開が可能になり、既設サッシへの後付けにも対応し易くなる。
【００１８】
フィルタユニットは、相対する２枚の多孔板の間に粒状の活性炭を充填する簡素な構造を採用しているので、低コストでありながら、高い吸着力を期待することができる。フィルタユニットの屋外側に目隠しガラリを取り付ければ、防犯性やプライバシーも向上する。
【図面の簡単な説明】
【００１９】
【図１】本考案の実施形態に係るフィルタユニットの構成を示す斜視図である。
【図２】図１のフィルタユニットを網戸タイプの装置取付枠に嵌め込む場合の構成を示す斜視図である。
【図３】本考案の実施形態を示す図であって、装置取付枠を引き違いサッシの網戸と同一面をなすように取り付ける場合の納まりを示す横断面図である。
【図４】同じく、縦断面図である。
【図５】図３に示した実施形態の変形例を示した横断面図である。
【図６】図３に示した実施形態に目隠しガラリを取り付けた場合の横断面図である。
【図７】同じく、縦断面図である。
【図８】本考案の他の実施形態を示す図であって、装置取付枠を引き違いサッシにおける屋内側の障子と同一面をなすように取り付ける場合の納まりを示す横断面図である。
【図９】同じく、縦断面図である。
【考案を実施するための形態】
【００２０】
以下、本考案の実施の形態について図を参照して説明する。
【００２１】
図１は、本考案の窓サッシ用空気清浄装置の要部をなすフィルタユニットの実施形態を示す。フィルタユニット２は、２枚の多孔板２１を表裏相対させて配置し、それらの間に活性炭２２を充填して、その周部をユニット枠２３で包囲することにより、ユニットとして予め一体化されている。多孔板２１は、例えばアルミ合金やステンレス鋼等からなる金属薄板、あるいは耐候性に優れたポリカーボネート等からなる合成樹脂製薄板に、直径数ミリ以下の貫通孔を、略全面にわたって多数、形成してなるものである。活性炭２２は、多孔板２１の貫通孔を通過しない程度の大きさの粒状に形成されている。ユニット枠２３は、アルミニウム型材等からなる四辺各部の枠材を継ぎ合わせて形成され、表裏の多孔板２１を所定間隔に保持する。
【００２２】
例示形態にあっては、このフィルタユニット２を後述の装置取付枠３（図２参照）に取り付けるための係止爪片２４が、ユニット枠２３を構成する上辺の枠材に設けられている。係止爪片２４は、ユニット枠２３に内蔵されたバネ等による付勢力を得て上向きに突出している。係止爪片２４の下方にはリング状の摘み部２５が延設されており、この摘み部２５れを引き下げると係止爪片２４が没入して、装置取付枠３への係脱が可能になる。
【００２３】
図２は、このフィルタユニット２を、網戸タイプの装置取付枠３（３Ａ）に嵌め込む実施形態を示す。また、図３及び図４は、装置取付枠３（３Ａ）を、引き違いサッシの網戸４と同一面をなすように取り付けた窓サッシ用空気清浄装置１の納まりを示す。
【００２４】
網戸タイプの装置取付枠３（３Ａ）は、その四周各辺を構成する枠材の外縁側の断面形状や、枠材同士の接合形態が、通常の網戸框４１（図８、図９参照）に準じている。この装置取付枠３の内側開口部内に、フィルタユニット２が屋内側から嵌め込まれ、前記係止爪片２４を利用する係止手段によって装置取付枠３に固定される。そして、この装置取付枠３を引き違いサッシの網戸用レール４２、４３に建て込むことにより、窓サッシ用空気清浄装置１が網戸４と略同一面をなす位置に保持される。
【００２５】
この窓サッシ用空気清浄装置１は、図３及び図４に示すように、網戸に替わる部材として単独で建て込まれてもよいし、図５に示すように、既設の網戸４の戸先側に、網戸４と並べて建て込まれてもよい。図５に示した実施形態では、網戸４と窓サッシ用空気清浄装置１との当接箇所を分離可能に嵌合しうる断面形状としている。これにより、網戸４と窓サッシ用空気清浄装置１とを一体的に移動させることも、分離して別々に移動させることも可能になる。なお、窓サッシ用空気清浄装置１を移動させる必要がなければ、装置取付枠３を窓枠５側に固定してもよい。
【００２６】
図６及び図７は、図３及び図４に示した網戸タイプの窓サッシ用空気清浄装置１における装置取付枠３（３Ａ）に、目隠しガラリ６を重ねて取り付けた実施形態を示す。目隠しガラリ６は、例えばアルミ合金やステンレス鋼等からなる複数枚の羽根板を具備している。羽根板は屋外側に向かって下降傾斜し、それによって水平方向の視線が遮蔽されるとともに、各羽根板の隙間が通気路となっている。目隠しガラリ６は、フィルタユニット２の屋外側に重なるようにして、適宜の固定手段により装置取付枠３（３Ａ）に取り付けられる。これによって、屋内側のプライバシーや防犯性が向上する。
【００２７】
図８及び図９は、窓サッシ用空気清浄装置１を、引き違いサッシにおける屋内側の障子７と同一面をなすように取り付ける場合の納まりを示す。障子タイプの装置取付枠３（３Ｂ）は、その四周各辺を構成する枠材の外縁側の断面形状や、枠材同士の接合形態が、通常の障子框７１に準じている。
【００２８】
例示形態にあっては、この装置取付枠３（３Ｂ）の内側開口部内に、フィルタユニット２と目隠しガラリ６とが組み込まれている。フィルタユニット２は屋内側から嵌め込まれ、前記係止爪片２４その他の係止手段によって装置取付枠３（３Ｂ）に固定される。目隠しガラリ６は屋外側から嵌め込まれ、溶接やビス止め等の手段によって装置取付枠３（３Ｂ）に固定される。この装置取付枠３（３Ｂ）を屋内側の障子用レール７２、７３に建て込むことにより、窓サッシ用空気清浄装置１が屋内側の障子７と同一面をなす位置に保持される。
【００２９】
この実施形態では、屋内側の障子７と窓サッシ用空気清浄装置１との当接箇所を、分離可能に嵌合しうる断面形状としている。これにより、屋内側の障子７と窓サッシ用空気清浄装置１とを一体的に移動させることも、分離して別々に移動させることもできる。
【００３０】
窓サッシ用空気清浄装置１は、屋外側の障子８と同一面をなすように取り付けることもできる。また、窓サッシ用空気清浄装置１を移動させる必要がなければ、装置取付枠３を窓枠５側に固定してもよい。例示の形態は引き違いサッシに設置したものであるが、片引き方式の窓サッシの場合も、その障子や網戸に対し、上述の態様に準じた態様で設置することができる。このように、本考案の窓サッシ用空気清浄装置１は、設置する窓サッシの形状や大きさに応じた取付態様を柔軟に選択することができる。また、窓サッシに特別な加工を施す必要もないので、既設の窓サッシへの設置も容易である。
【符号の説明】
【００３１】
１  窓サッシ用空気清浄装置
２  フィルタユニット
２１  多孔板
２２  活性炭
２３  ユニット枠
２４  係止爪片
３（３Ａ、３Ｂ）  装置取付枠
４  網戸
４２、４３  網戸用レール
５  窓枠
６  目隠しガラリ
７  屋内側の障子
７２、７３  障子用レール
【図１】
0003149753.tif 000003
【図２】
0003149753.tif 000004
【図３】
0003149753.tif 000005
【図４】
0003149753.tif 000006
【図５】
0003149753.tif 000007
【図６】
0003149753.tif 000008
【図７】
0003149753.tif 000009
【図８】
0003149753.tif 000010
【図９】
0003149753.tif 000011